(57)【要約】【課題】部品点数が少なくコスト低減を図ることができると共に製作作業の簡素化を図ることができる椅子傾動装置を提供すること。【解決手段】椅子傾動装置１は、座部１０２に人が座っていないとき、アッパー部材３の天板部３１は圧縮状態のゴム弾性部材６により上方への回動力を受け、ストッパーピン５の軸部５１は、上下方向長孔２２a、２３aの上端に押圧された上限位置にある。また、座部１０２に人が座ったとき、人の体重により圧縮状態のゴム弾性部材６はさらに圧縮され、アッパー部材３は回転軸ピン４を回動軸として下方へ回動すると共に、ストッパーピン５の軸部５１は、各上下方向長孔２２a、２３a内において上限位置から下方へ移動し、アッパー部材３が傾動して座部１０２及び背もたれ部１０３の角度が変化する。【選択図】図３
0003120862.tif 000002
【実用新案登録請求の範囲】
【請求項１】
椅子の脚部と座部との間に設けられ、座った人の体重を受けて前記座部及び背もたれ部の角度を変化させる椅子傾動装置において、
床板部と、該床板部の左端及び右端から上方へ垂直に延びた左側壁部及び右側壁部と、前記左側壁部の前部と前記右側壁部の前部とを貫通するように前記左側壁部と前記右側壁部との間に水平に設けられたパイプ部とを有するベース部材と、
天板部と該天板部の左端及び右端から下方へ垂直に延びた左側壁部及び右側壁部とを有するアッパー部材と、
前記パイプ部に挿通され該パイプ部の内周面に摺接可能な軸部と、前記アッパー部材の前記左側壁部又は前記右側壁部のいずれかに設けられた多角孔に嵌合される多角部とを有し、前記アッパー部材に固定される回転軸ピンと、
前記ベース部材及び前記アッパー部材の各左側壁部の前後方向中間部と各右側壁部の前後方向中間部との間に水平に設けられるストッパーピンであって、前記ベース部材の左側壁部及び右側壁部に各々設けられた上下方向長孔と前記アッパー部材の左右いずれか一方の側壁部に設けられた丸孔とに挿通される軸部と、前記アッパー部材の他方の側壁部に設けられた多角孔に嵌合される多角部とを有し、前記アッパー部材に固定されるストッパーピンと、
前記ベース部材の床板部の後部と前記アッパー部材の天板部の後部との間に圧縮状態で固定配置されるゴム弾性部材と、を備え、
前記座部に人が座っていないとき、前記アッパー部材の天板部は前記圧縮状態のゴム弾性部材により上方への回動力を受け、前記ストッパーピンの軸部は、前記上下方向長孔の上端に押圧された上限位置にあり、
また、前記座部に人が座ったとき、人の体重により前記圧縮状態のゴム弾性部材はさらに圧縮され、前記アッパー部材は前記回転軸ピンを回動軸として下方へ回動すると共に、前記ストッパーピンの軸部は、前記各上下方向長孔内において前記上限位置から下方へ移動し、前記アッパー部材が傾動して前記座部及び前記背もたれ部の角度が変化する
ことを特徴とする椅子傾動装置。
【請求項２】
前記ベース部材の前記左側壁部の後部上面及び前記右側壁部の後部上面は、後方へ向かって下る傾斜面により構成され、前記座部に人が座ったとき、前記アッパー部材の前記天板部の後部下面が前記各後部上面と当接することによって前記アッパー部材の傾動が停止することを特徴とする請求項１に記載の椅子傾動装置。
【請求項３】
前記ゴム弾性部材の下面に凹部が設けられており、かつ、前記ベース部材の前記床板部に前記凹部に嵌合する凸部が設けられていることを特徴とする請求項１に記載の椅子傾動装置。
【請求項４】
前記ゴム弾性部材の下面に凹部が設けられており、かつ、前記ベース部材の前記床板部に前記凹部に嵌合する凸部が設けられていることを特徴とする請求項２に記載の椅子傾動装置。
【請求項５】
前記アッパー部材の前記天板部に複数の取付孔が設けられており、当該椅子傾動装置が取り付けられる椅子の座部の取付箇所に対応する取付孔が選択され使用されることを特徴とする請求項１に記載の椅子傾動装置。
【請求項６】
前記アッパー部材の前記天板部に複数の取付孔が設けられており、当該椅子傾動装置が取り付けられる椅子の座部の取付箇所に対応する取付孔が選択され使用されることを特徴とする請求項２に記載の椅子傾動装置。
【請求項７】
前記アッパー部材の前記天板部に複数の取付孔が設けられており、当該椅子傾動装置が取り付けられる椅子の座部の取付箇所に対応する取付孔が選択され使用されることを特徴とする請求項３に記載の椅子傾動装置。
【請求項８】
前記アッパー部材の前記天板部に複数の取付孔が設けられており、当該椅子傾動装置が取り付けられる椅子の座部の取付箇所に対応する取付孔が選択され使用されることを特徴とする請求項４に記載の椅子傾動装置。
【考案の詳細な説明】
【技術分野】
【０００１】
本考案は、人が椅子に座ったとき、体重によって座部及び背もたれ部の角度を自動的に変化させるための椅子傾動装置に関する。
【背景技術】
【０００２】
従来から、椅子傾動装置、つまり人の体重を利用して背もたれ部等の角度を自動的に変化させるための椅子傾動装置が座部の下部に組み込まれた椅子が知られている。
【０００３】
従来の椅子傾動装置２００を図９及び図１０に示す。
【０００４】
図９及び図１０に示すように、椅子傾動装置２００は、椅子の脚部（図示せず）に連結されるケース本体２０１と、ケース本体２０１に溶接されたケース上板２０２と、ケース本体２０１に溶接された内パイプ２０３を備える。内パイプ２０３には、左外パイプ２０４及び右外パイプ２０５が外嵌されている。左外パイプ２０４の右端部と右外パイプ２０５の左端部には、U字ストッパー２０６が溶接されている。U字ストッパー２０６はケース本体２０１を収容するように配され、側部にストッパー補強板２０７が溶接されている。左外パイプ２０４には、座部（図示せず）に連結され、人が座部に座ったときに後傾可能な左座受アングル２０８が溶接されている。右外パイプ２０５には、座部に連結され、人が座部に座ったときに後傾可能な右座受アングル２０９が溶接されている。内パイプ２０３の右端部内部には、四角孔２１０aを有するトーションコマ２１０が溶接されている。内パイプ２０３の内部には断面四角状のトーションバー２１１が挿通されており、トーションバー２１１の右端部はトーションコマ２１０の四角孔２１０aに嵌合され、溶接されている。内パイプ２０３の左端部内部には、トーションバー２１１が回動可能に挿通される丸孔２１２aを有するトーションカラー２１２が溶接されている。トーションバー２１１の左端部には、調整アーム２１３が溶接されている。調整アーム２１３の先端部は、左座受アングル２０８の受圧部２０８aの下面に当接している。
【０００５】
この椅子傾動装置２００は、人が座部に座ったとき、人の体重により、左座受アングル２０８の受圧部２０８aは、トーションバー２１１の弾性復元力に抗しながら調整アーム２１３を押下げ、左座受アングル２０８は後傾する。また同時に、人の体重により右座受アングル２０９も後傾する。そして、左座受アングル２０８及び右座受アングル２０９の後傾に伴い左外パイプ２０４及び右外パイプ２０５を介してU字ストッパー２０６が回動し、U字ストッパー２０６がケース上板２０２に当たったとき、後傾が停止する。なお、本出願に先立ち先行技術の調査を行ったところ、特許文献１，２を発見した。
【特許文献１】実開平７−５４５２号公報
【特許文献２】特開２００３−２４１６７公報
【考案の開示】
【考案が解決しようとする課題】
【０００６】
しかし、従来の椅子傾動装置によると、部品点数が多くコスト高となり、また製作作業が煩雑であるという問題があった。
【０００７】
本考案は、上記のような従来技術の問題点を解決し、部品点数が少なくコスト低減を図ることができると共に製作作業の簡素化を図ることができる椅子傾動装置を提供することを主な目的とする。
【課題を解決するための手段】
【０００８】
本考案の椅子傾動装置は、椅子の脚部と座部との間に設けられ、座った人の体重を受けて前記座部及び背もたれ部の角度を変化させる椅子傾動装置において、床板部と、該床板部の左端及び右端から上方へ垂直に延びた左側壁部及び右側壁部と、前記左側壁部の前部と前記右側壁部の前部とを貫通するように前記左側壁部と前記右側壁部との間に水平に設けられたパイプ部とを有するベース部材と、天板部と該天板部の左端及び右端から下方へ垂直に延びた左側壁部及び右側壁部とを有するアッパー部材と、前記パイプ部に挿通され該パイプ部の内周面に摺接可能な軸部と、前記アッパー部材の前記左側壁部又は前記右側壁部のいずれかに設けられた多角孔に嵌合される多角部とを有し、前記アッパー部材に固定される回転軸ピンと、前記ベース部材及び前記アッパー部材の各左側壁部の前後方向中間部と各右側壁部の前後方向中間部との間に水平に設けられるストッパーピンであって、前記ベース部材の左側壁部及び右側壁部に各々設けられた上下方向長孔と前記アッパー部材の左右いずれか一方の側壁部に設けられた丸孔とに挿通される軸部と、前記アッパー部材の他方の側壁部に設けられた多角孔に嵌合される多角部とを有し、前記アッパー部材に固定されるストッパーピンと、前記ベース部材の床板部の後部と前記アッパー部材の天板部の後部との間に圧縮状態で固定配置されるゴム弾性部材と、を備え、前記座部に人が座っていないとき、前記アッパー部材の天板部は前記圧縮状態のゴム弾性部材により上方への回動力を受け、前記ストッパーピンの軸部は、前記上下方向長孔の上端に押圧された上限位置にあり、また、前記座部に人が座ったとき、人の体重により前記圧縮状態のゴム弾性部材はさらに圧縮され、前記アッパー部材は前記回転軸ピンを回動軸として下方へ回動すると共に、前記ストッパーピンの軸部は、前記各上下方向長孔内において前記上限位置から下方へ移動し、前記アッパー部材が傾動して前記座部及び前記背もたれ部の角度が変化することを特徴とする。
【０００９】
本考案の椅子傾動装置によると、部品点数が少なくコスト低減を図ることができると共に製作作業の簡素化を図ることができる。また、回転軸ピンの軸部がパイプ部の内周面に摺接可能に挿通されているため、回転軸ピンが回動するとき、軸部はパイプ部の内周面と面当たり状態で摺接しながら回動するようになる。このため、回転軸ピンの局部的磨耗を防止でき、耐久性に優れた椅子傾動装置を提供できるようになる。また、ベース部材とアッパー部材との間にゴム弾性部材を圧縮状態で配置するようにしたため、ゴム弾性部材を固定するためのなんらかの特別な構成を設けなくて済む。また、多角部と多角孔との嵌合を利用して回転軸ピン及びストッパーピンがアッパー部材に固定可能となるため、この固定のための構成の簡素化を図ることができる。さらに、本考案の椅子傾動装置は、ベース部材、アッパー部材、回転軸ピン、ストッパーピン、ゴム弾性部材など互いに分離独立した部品からなり、接着剤等を用いないで組み立て可能であるため、リサイクルが容易になり、資源保護を図れる。
【００１０】
また、前記ベース部材の前記左側壁部の後部上面及び前記右側壁部の後部上面は、後方へ向かって下る傾斜面により構成され、前記座部に人が座ったとき、前記アッパー部材の前記天板部の後部下面が前記各後部上面と当接することによって前記アッパー部材の傾動が停止するよう構成すると、たとえば、上下方向長孔の下端でストッパーピンの軸部を受け止めることによってアッパー部材の傾動を停止させる場合には、ストッパーピンの軸部の負担がきわめて大きく耐久性に欠けることとなるが、このような不具合を解消できるようになる。
【００１１】
また、前記ゴム弾性部材の下面に凹部を設け、かつ、前記ベース部材の前記床板部に前記凹部に嵌合する凸部を設けると、ゴム弾性部材の位置の固定がより確実なものとなる。
【００１２】
また、前記アッパー部材の前記天板部に複数の取付孔を設け、当該椅子傾動装置が取り付けられる椅子の座部の取付箇所に対応する取付孔を選択し使用するようにすると、複数種類の椅子に対応可能な椅子傾動装置を提供することができる。
【考案を実施するための最良の形態】
【００１３】
以下、本考案の実施形態を図面に基づいて説明する。
【００１４】
図１は、本考案の一実施形態に係る椅子傾動装置が組み込まれた椅子の無負荷時（人が座っていない時）の側面図、図２は、同椅子の負荷時（人が座っている時）の側面図、図３は、椅子傾動装置の斜視図、図４は、ベース部材の斜視図、図５は、アッパー部材の斜視図、図６は、同一構成である回転軸ピン及びストッパーピンの斜視図、図７は、椅子傾動装置の無負荷時の側面断面図、図８は、椅子傾動装置の負荷時の側面断面図をそれぞれ示す。
【００１５】
図１及び図２において、椅子１００は、脚部１０１と座部１０２と背もたれ部１０３とを有し、脚部１０１は床面１０４に固定金具１０５で固定されており、脚部１０１と座部１０２との間に椅子傾動装置１が設けられている。
【００１６】
椅子傾動装置１は、図３に示すように、ベース部材２とアッパー部材３と回転軸ピン４とストッパーピン５とゴム弾性部材６とを備える。
【００１７】
ベース部材２は、鋼鉄製であり、図４に示すように、床板部２１と、床板部２１の左端及び右端から上方へ垂直に延びた左側壁部２２及び右側壁部２３と、左側壁部２２の前部と右側壁部２３の前部とを貫通するように左側壁部２２と右側壁部２３との間に水平に設けられたパイプ部２４とを有する。
【００１８】
床板部２１の後部上面には、ゴム弾性部材６に設けられた凹部６１に嵌合する凸部２１aが設けられている。床板部２１の凸部２１aは、ゴム弾性部材６の凹部６１に嵌合することによって、床板部２１の上面におけるゴム弾性部材６の位置の固定を確実なものとするものである。
【００１９】
床板部２１には、複数の脚部取付孔２１bが設けられ、床板部２１の上面において各脚部取付孔２１bに対応する部位に、ナット２１cが溶接されている。これらのナット２１cには、脚部１０１側のボルト（図示せず）がねじ込まれ、ベース部材２は脚部１０１に固定される。
【００２０】
左側壁部２２の前後方向中間部及び右側壁部２３の前後方向中間部には、それぞれ上下方向長孔２２a、２３aが設けられている。
【００２１】
左側壁部２２の前部上面２２b及び右側壁部２３の前部上面２３bは、水平面により構成され、各前部上面２２b、２３bに続く後部上面２２c、２３cは、後方へ向かって下る傾斜面により構成されている。
【００２２】
アッパー部材３は、鋼鉄製であり、図５に示すように、天板部３１と、天板部３１の左端及び右端から下方へ垂直に延びた左側壁部３２及び右側壁部３３とを有する。
【００２３】
天板部３１は、前後方向に水平に構成されている。
【００２４】
天板部３１には、複数の座部取付孔３１aが設けられている。天板部３１の下面には、複数の座部取付孔３１aのうちの一部の座部取付孔３１aに対応する部位にナット３１bが溶接されている。これらのナット３１bには、座部側のボルト（図示せず）がねじ込まれ、アッパー部材は座部１０２に固定される。ナット３１bが溶接される座部取付孔３１aの選択は、椅子１００の種類に応じて予め決められる。
【００２５】
左側壁部３２の前部には、後述する回転軸ピン４の軸部４１の先端部４１aが挿通される丸孔３２aが設けられている。また、左側壁部３２の前後方向中間部には、後述するストッパーピン５の軸部５１の先端部５１aが挿通される丸孔３２bが設けられている。
【００２６】
右側壁部３３の前部には、回転軸ピン４の多角部４２が嵌合される多角孔３３aが設けられている。また、右側壁部３３の前後方向中間部には、ストッパーピン５の多角部５２が嵌合される多角孔３３bが設けられている。
【００２７】
回転軸ピン４は、図６に示すように、軸部４１と多角部４２と頭部４３とを有する。
【００２８】
軸部４１は、パイプ部２４の内径よりも僅かに小さな外径を有しており、パイプ部２４に挿通されパイプ部２４の内周面に摺接可能である。軸部４１の先端部４１aは、アッパー部材３の左側壁部３２の丸孔３２aに挿通される。
【００２９】
多角部４２は、本実施形態の場合六角板部により構成され、軸部４１の外径よりも大きな外径寸法を有している。多角部４２は、アッパー部材３の右側壁部３３の多角孔３３aに嵌合される。
【００３０】
頭部４３は、多角部４２に隣接して形成され、多角部４２の外径寸法よりも大きな外径を有している。頭部４３は、アッパー部材３の右側壁部３３の外面に接するように配される。
【００３１】
回転軸ピン４は、頭部４３をアッパー部材３の右側壁部３３の外面に押し付けた状態で軸部４１の先端部４１aにプッシュナット４４を嵌め込むことによってアッパー部材３に固定される。
【００３２】
ストッパーピン５は、図６に示すように、軸部５１と多角部５２と頭部５３とを有する。
【００３３】
軸部５１は、ベース部材２の上下方向長孔２２a、２３aの左右方向幅よりも僅かに小さな外径を有しており、ベース部材２の右側壁部２３の上下方向長孔２３a、ベース部材２の左側壁部２２の上下方向長孔２２a、アッパー部材３の左側壁部３２の丸孔３２bに挿通される。
【００３４】
多角部５２は、本実施形態の場合六角板部により構成され、軸部５１の外径よりも大きな外径寸法を有している。多角部５２は、アッパー部材３の右側壁部３３の多角孔３３bに嵌合される。
【００３５】
頭部５３は、多角部５２に隣接して形成され、多角部５２の外径寸法よりも大きな外径を有している。頭部５３は、アッパー部材３の右側壁部３３の外面に接するように配される。
【００３６】
ストッパーピン５は、頭部５３をアッパー部材３の右側壁部３３の外面に押し付けた状態で軸部５１の先端部５１aにプッシュナット５４を嵌め込むことによってアッパー部材３に固定される。
【００３７】
ゴム弾性部材６は、ウレタンゴム材料からなり、図４に示すように、略四角柱形状をしており、下面に、ベース部材２の床板部２１の凸部２１aと嵌合する凹部６１が形成されている。また、上面には、アッパー部材３のナット３１bを収容するナット収容凹部６２が形成されている。ゴム弾性部材６は、図３に示す組付後の状態において、ベース部材２の床板部２１の後部とアッパー部材３の天板部３１の後部との間に圧縮状態で固定配置されている。
【００３８】
椅子傾動装置１の組付は、例えば次のように行われる。
【００３９】
まず、ベース部材２の床板部２１の凸部２１aにゴム弾性部材６の凹部６１が嵌るように床板部２１にゴム弾性部材６を載せ、ベース部材２にアッパー部材３を被せ、回転軸ピン４の軸部４１をアッパー部材３の多角孔３３aからベース部材２のパイプ部２４及びアッパー部材３の丸孔３２aに順に挿通し、回転軸ピン４の多角部４２をアッパー部材３の多角孔３３aに嵌合させた状態で、回転軸ピン４の先端部４１aにプッシュナット４４を嵌め込むようにする。これにより、アッパー部材３は、ベース部材２に対して、回転軸ピン４を回転軸として上下方向へ回動可能に組み付けられる。
【００４０】
次に、アッパー部材３を下方へ押圧することによってゴム弾性部材６を圧縮し（図４に実線で示したゴム弾性部材６において、一点鎖線で表した状態に対応している。）、ベース部材２の上下方向長孔２２a、２３aにアッパー部材３の多角孔３２b、３３bが重なるようにした状態で、ストッパーピン５の軸部５１をアッパー部材３の多角孔３３bからベース部材２の上下方向長孔２３a、上下方向長孔２２a、及びアッパー部材３の丸孔３２bに順に挿通し、ストッパーピン５の多角部５２をアッパー部材３の多角孔３３bに嵌合させた状態で、ストッパーピン５の先端部５１aにプッシュナット５４を嵌め込むようにする。これにより、アッパー部材３の上下方向への回動は、ストッパーピン５が上下方向長孔２２a、２３a内を上下方向へ移動できる範囲に規制される。このような作業により図３に示したような椅子傾動装置１が製作される。
【００４１】
次に、上記のように構成された椅子傾動装置１の動作を図７及び図８を併せて参照しつつ説明する。
【００４２】
座部１０２に人が座っていないときは、図７に示すように、アッパー部材３の天板部３１は圧縮状態のゴム弾性部材６により上方への回動力を受け、ストッパーピン５の軸部５１は、上下方向長孔２２a、２３aの上端に押圧された上限位置にある。したがって、椅子１００は、図１に示すような状態に維持される。
【００４３】
座部１０２に人が座ると、図８に示すように、人の体重により上記圧縮状態のゴム弾性部材６はさらに圧縮され（図４に実線で示したゴム弾性部材６において、二点鎖線で表した状態に対応している。）、アッパー部材３は回転軸ピン４を回動軸として下方へ回動すると共に、ストッパーピン５の軸部５１は、各上下方向長孔２２a、２３a内において上限位置から下方へ移動する。このアッパー部材３の下方への回動により、座部１０２及び背もたれ部１０３の角度が変化する。つまり、座部１０２は、その後部が下方へ傾動し、背もたれ部１０３は、後傾する。そして、アッパー部材３の天板部３１の後部下面３１cがベース部材２の左側壁部２２の後部上面２２c、及び右側壁部２３の後部上面２３cに当接したとき、座部１０２及び背もたれ部１０３の傾動が停止し、一定の傾動角度に維持される。これにより、椅子１００は、図１に示した状態から図２に示した状態へと変化する。
【００４４】
以上説明したように、本実施形態の椅子傾動装置１は、椅子１００の脚部１０１と座部１０２との間に設けられ、座った人の体重を受けて座部１０２及び背もたれ部１０３の角度を変化させる椅子傾動装置であり、床板部２１と、床板部２１の左端及び右端から上方へ垂直に延びた左側壁部２２及び右側壁部２３と、左側壁部２２の前部と右側壁部２３の前部とを貫通するように左側壁部２２と右側壁部２３との間に水平に設けられたパイプ部２４とを有するベース部材２と、天板部３１と天板部３１の左端及び右端から下方へ垂直に延びた左側壁部３２及び右側壁部３３とを有するアッパー部材３と、パイプ部２４に挿通されパイプ部２４の内周面に摺接可能な軸部４１と、アッパー部材３の左側壁部３２又は右側壁部３３のいずれかに設けられた多角孔３３aに嵌合される多角部４２とを有し、アッパー部材３に固定される回転軸ピン４と、ベース部材２及びアッパー部材３の各左側壁部２２、３２の前後方向中間部と各右側壁部２３、３３の前後方向中間部との間に水平に設けられるストッパーピン５であって、ベース部材２の左側壁部２２及び右側壁部２３に各々設けられた上下方向長孔２２a、２３aとアッパー部材３の左右いずれか一方の側壁部３２に設けられた丸孔３２bとに挿通される軸部５１と、アッパー部材３の他方の側壁部３３に設けられた多角孔３３bに嵌合される多角部５２とを有し、アッパー部材３に固定されるストッパーピン５と、ベース部材２の床板部２１の後部とアッパー部材３の天板部３１の後部との間に圧縮状態で固定配置されるゴム弾性部材６と、を備え、座部１０２に人が座っていないとき、アッパー部材３の天板部３１は圧縮状態のゴム弾性部材６により上方への回動力を受け、ストッパーピン５の軸部５１は、上下方向長孔２２a、２３aの上端に押圧された上限位置にあり、また、座部１０２に人が座ったとき、人の体重により圧縮状態のゴム弾性部材６はさらに圧縮され、アッパー部材３は回転軸ピン４を回動軸として下方へ回動すると共に、ストッパーピン５の軸部５１は、各上下方向長孔２２a、２３a内において上限位置から下方へ移動し、アッパー部材３が傾動して座部１０２及び背もたれ部１０３の角度が変化する。
【００４５】
本考案の椅子傾動装置１によると、部品点数が少なくコスト低減を図ることができると共に製作作業の簡素化を図ることができる。また、回転軸ピン４の軸部４１がパイプ部２４の内周面に摺接可能に挿通されているため、回転軸ピン４が回動するとき、軸部４１はパイプ部２４の内周面と面当たり状態で摺接しながら回動するようになる。このため、回転軸ピン４の局部的磨耗を防止でき、耐久性に優れた椅子傾動装置を提供できるようになる。また、ベース部材２とアッパー部材３との間にゴム弾性部材６を圧縮状態で配置するようにしたため、ゴム弾性部材６を固定するためのなんらかの特別な構成を設けなくて済む。また、多角部４２、５２と多角孔３３a、３３bとの嵌合を利用して回転軸ピン４及びストッパーピン５がアッパー部材３に固定可能となるため、この固定のための構成の簡素化を図ることができる。さらに、本実施形態の椅子傾動装置１は、ベース部材２、アッパー部材３、回転軸ピン４、ストッパーピン５、ゴム弾性部材６など互いに分離独立した部品からなり、接着剤等を用いないで組み立て可能であるため、リサイクルが容易になり、資源保護を図れる。
【００４６】
また、ベース部材２の左側壁部２２の後部上面２２c及び右側壁部２３の後部上面２３cは、後方へ向かって下る傾斜面により構成され、座部１０２に人が座ったとき、アッパー部材３の天板部３１の後部下面３１cが後部上面２２c、２３cと当接することによってアッパー部材３の傾動が停止するよう構成したため、たとえば、上下方向長孔２２a、２３aの下端でストッパーピン５の軸部５１を受け止めることによってアッパー部材３の傾動を停止させる場合には、ストッパーピン５の軸部５１の負担がきわめて大きく耐久性に欠けることとなるが、このような不具合を解消できるようになる。
【００４７】
また、ゴム弾性部材６の下面に凹部６１を設け、かつ、ベース部材２の床板部２１に凹部６１に嵌合する凸部２１aを設けたため、このような凹部６１及び凸部２１aを設けない場合よりも、ゴム弾性部材６の位置の固定がより確実なものとなる。
【００４８】
また、アッパー部材３の天板部３１に複数の取付孔３１aを設け、当該椅子傾動装置１が取り付けられる椅子１００の座部１０２の取付箇所に対応する取付孔３１aを選択し使用するようにしたため、複数種類の椅子に対応可能な椅子傾動装置を提供することができる。
【図面の簡単な説明】
【００４９】
【図１】本考案の一実施形態に係る椅子傾動装置が組み込まれた椅子の無負荷時（人が座っていない時）の側面図である。
【図２】同椅子の負荷時（人が座っている時）の側面図である。
【図３】椅子傾動装置の斜視図である。
【図４】ベース部材の斜視図である。
【図５】アッパー部材の斜視図である。
【図６】回転軸ピン及びストッパーピンの斜視図である。
【図７】椅子傾動装置の無負荷時の側面断面図である。
【図８】椅子傾動装置の負荷時の側面断面図である。
【図９】従来の椅子傾動装置の平面部分断面図である。
【図１０】同椅子傾動装置の側面断面図である。
【符号の説明】
【００５０】
１    椅子傾動装置
２    ベース部材
２１    床板部
２１a    凸部
２２    左側壁部
２２a    上下方向長孔
２２c    後部上面
２３    右側壁部
２３a    上下方向長孔
２３c    後部上面
２４    パイプ部
３    アッパー部材
３１    天板部
３１a    取付孔
３１c    後部下面
３２    左側壁部
３２b    丸孔
３３    右側壁部
３３a    多角孔
３３b    多角孔
４    回転軸ピン
４１    軸部
４２    多角部
５    ストッパーピン
５１    軸部
５２    多角部
６    ゴム弾性部材
６１    凹部
１００    椅子
１０１    脚部
１０２    座部
１０３    背もたれ部
【図１】
0003120862.tif 000003
【図２】
0003120862.tif 000004
【図３】
0003120862.tif 000005
【図４】
0003120862.tif 000006
【図５】
0003120862.tif 000007
【図６】
0003120862.tif 000008
【図７】
0003120862.tif 000009
【図８】
0003120862.tif 000010
【図９】
0003120862.tif 000011
【図１０】
0003120862.tif 000012